(57)【特許請求の範囲】
【請求項１】
遊技機の所定箇所に設けられる機構ベースに対して組み付けられる遊技機用可動演出装置であって、
遊技機前面より視認される装飾体と、前記機構ベースに組み付けられ前記装飾体より後方に配置される後方取付部材とが重ね合わせて一体に組み付けられ、当該後方取付部材と装飾体とが連結される連結部を中心にして駆動源から駆動伝達されて回転する回転体と、
前記後方取付部材と装飾体のいずれかに設けられ、前記回転体を所定回転方向のみへ回転することを許容する回転規制部と、
前記回転体に移動可能に組み付けられ、前記駆動源の回転方向に応じて前記装飾体の後方に収納された収納位置と当該装飾体の外周より外側へ移動して前記装飾体の意匠面を拡大表示する作動位置との間を移動する可動体と、を備え、
前記回転体が前記回転規制部によって許容される所定方向へ回転すると、前記可動体は収納位置から作動位置へ移動し、更に前記回転体が回転すると作動位置を維持したまま一体となって回転することを特徴とする遊技機用可動演出装置。
【請求項２】
前記回転体は、前記駆動源より正逆回転駆動される伝達歯車と、該伝達歯車に対して相対的に回転可能に重ね合わせて組み付けられかつ前記回転規制部により回転規制された回転ベースと、を具備し、当該回転ベースに前記可動体が移動可能に組み付けられている請求項１記載の遊技機用可動演出装置。
【請求項３】
前記可動体に設けられた可動歯車は前記伝達歯車と噛み合っており、前記伝達歯車が前記回転ベースに対して相対的に回転する範囲で正逆回転駆動されると、前記可動体が収納位置と作動位置との間を移動する請求項２記載の遊技機用可動演出装置。
【請求項４】
前記伝達歯車が前記回転ベースの前記回転規制部に回転が許容された所定回転方向へ回転すると、可動歯車が従動回転して前記可動体が収納位置から作動位置へ移動し、当該可動体が作動位置を維持したまま更なる回転にともなって前記回転ベースが従動回転し、
前記可動体が作動位置にある状態において、前記所定回転方向と逆方向に回転すると、前記回転ベースは前記回転規制部によって逆方向への回転が規制され、前記伝達歯車が前記回転ベースに対して相対的に回転する範囲で逆方向へ回転して前記可動歯車が従動回転し前記可動体が作動位置から収納位置へ移動して停止する請求項２又は請求項３記載の遊技機用可動演出装置。
【請求項５】
請求項１乃至４のいずれか１項記載の遊技機用可動演出装置を備えた遊技機。
【発明の詳細な説明】
【技術分野】
【０００１】
本発明は、遊技機用可動演出装置及びこれを備えた遊技機に関する。
【背景技術】
【０００２】
パチンコ機などの遊技機は、外枠に対して開閉可能に設けられた内枠に遊技盤が着脱可能に組み付けられている。内枠には前面枠が開閉可能に設けられている。
【０００３】
遊技盤の盤面上に形成される遊技領域においては、図柄表示装置（液晶表示装置）の表示画面の拡大に伴い、遊技領域に配置される可動体を含む演出装置の設置面積の確保が難しくなっている。
そこで、図柄表示装置の周囲に設けられる役物や遊技領域に設けられる可動体を含む演出装置をコンパクトに設け、遊技性に合わせて意匠面が拡大するように設けられた遊技機が提案されている。
【０００４】
具体的には、放射状に分割された可動板の後方に意匠面を備えた意匠板を設け、アクチュエータの駆動により意匠面を被覆する第１位置と意匠面の一部を露出する第２位置との間で可動板を放射方向に移動させることで、演出装置の小型化を図った遊技機が提案されている（特許文献１参照）。
【０００５】
また、図柄表示装置の前方にリング状の第１，第２回転体を同軸状に配置し、第１，第２回転体の間に複数の可動片が第１回転体に回動可能に軸支されかつ第２回転体に係合して設けられ、第１，第２回転体を速度差を設けて回転駆動することにより可動片を径方向に出没運動を繰り返して、図柄表示装置の表示面積を変化させるようにした遊技機も提案されている（特許文献２参照）。
【先行技術文献】
【特許文献】
【０００６】
【特許文献１】特開２００７−２２２４３６号公報
【特許文献２】特開２００８−２８４１１２号公報
【発明の開示】
【発明が解決しようとする課題】
【０００７】
しかしながら、上述した特許文献１の演出装置は、図柄表示装置の周囲に組み込まれる場合には、コンパクトに設置できるが、意匠面が隠れるため、興趣に薄れる。また、遊技性と連動して可動板が放射状に移動するため、意匠面による演出効果が発揮され難い。また、可動板は放射状に移動して意匠面が表示されるため、演出装置の周囲には障害物となる装飾部品を設けることができない。
また、特許文献２の演出装置においては、図柄表示装置の表示面積を変化させることで演出効果を狙っているが、表示部の面積が広がるわけではなく、可動片が第１，第２回転体から図柄表示装置の面積を狭めるように出没することにより意匠面の変化は限定的なものとなる。
【０００８】
本発明の目的は、装飾体の意匠面の表示面積を減らすことなくコンパクトに設置でき、しかも可動体が作動するときに意匠面の表示面積を拡大表示して演出効果を向上させた遊技機用可動演出装置及びこれを備えた遊技機を提供することにある。
【課題を解決するための手段】
【０００９】
本発明は上記目的を達成するため、次の構成を備えることを特徴とする。
遊技機の所定箇所に設けられる機構ベースに対して組み付けられる遊技機用可動演出装置であって、遊技機前面より視認される装飾体と、前記機構ベースに組み付けられ前記装飾体より後方に配置される後方取付部材とが重ね合わせて一体に組み付けられ、当該後方取付部材と装飾体とが連結される連結部を中心にして駆動源から駆動伝達されて回転する回転体と、前記後方取付部材と装飾体のいずれかに設けられ、前記回転体を所定回転方向のみへ回転することを許容する回転規制部と、前記回転体に移動可能に組み付けられ、前記駆動源の回転方向に応じて前記装飾体の後方に収納された収納位置と当該装飾体の外周より外側へ移動して前記装飾体の意匠面を拡大表示する作動位置との間を移動する可動体と、を備え、前記回転体が前記回転規制部によって許容される所定方向へ回転すると、前記可動体は収納位置から作動位置へ移動し、更に前記回転体が回転すると作動位置を維持したまま一体となって回転することを特徴とする。
【００１０】
また、前記回転体は、前記駆動源より正逆回転駆動される伝達歯車と、該伝達歯車に対して相対的に回転可能に重ね合わせて組み付けられかつ前記回転規制部により回転規制された回転ベースと、を具備し、当該回転ベースに前記可動体が移動可能に組み付けられていることを特徴とする。
【００１１】
また、前記可動体に設けられた可動歯車は前記伝達歯車と噛み合っており、前記伝達歯車が前記回転ベースに対して相対的に回転する範囲で正逆回転駆動されると、前記可動体が収納位置と作動位置との間を移動することを特徴とする。
【００１２】
また、前記伝達歯車が前記回転ベースの前記回転規制部に回転が許容された所定回転方向へ回転すると、前記可動歯車が従動回転して前記可動体が収納位置から作動位置へ移動し、当該可動体が作動位置を維持したまま更なる回転にともなって回転ベースが従動回転し、前記可動体が作動位置にある状態において、前記所定回転方向と逆方向に回転すると、前記回転ベースは前記回転規制部によって逆方向への回転が規制され、前記伝達歯車が前記回転ベースに対して相対的に回転する範囲で逆方向へ回転して前記可動歯車が従動回転し前記可動体が作動位置から収納位置へ移動して停止することを特徴とする。
【００１３】
また、遊技機においては、上述した遊技機用可動演出装置を備えたことを特徴とする。
【発明の効果】
【００１４】
上述した遊技機用可動演出装置を用いれば、回転体には、駆動源の回転方向に応じて変位する可動体が、装飾体の後方に収納された収納位置と当該装飾体の外周より外側へ移動して意匠面を拡大表示する作動位置との間を移動可能に組み付けられている。これにより、可動演出装置を装飾体の意匠面の表示面積を減らすことなくコンパクトに設置でき、しかも回転体は回転規制部によって許容される所定方向へ回転すると可動体が収納位置から作動位置へ移動し、更に回転体が回転すると作動位置を維持したまま一体となって回転するので、装飾体の意匠面の表示面積を拡大表示したまま動きを伴った意外性のある演出を行うことができる。
【００１５】
また、回転体は、駆動源より正逆回転駆動される伝達歯車と、該伝達歯車に対して相対的に回転可能に同心状に重ね合わせて組み付けられかつ回転規制部により回転規制された回転ベースとを具備し当該回転ベースに可動体が移動可能に組み付けられているので、駆動源から回転ベースや可動体に対する駆動伝達機構を軸方向に簡略化して薄型化することができ、部品点数や組み立て工数も減らすことができる。
【００１６】
また、可動体に設けられた可動歯車は伝達歯車と噛み合っており、伝達歯車が回転ベースに対して相対的に回転する範囲で正逆回転駆動されると、可動体が収納位置と作動位置との間を移動するので、伝達歯車の回転方向に応じて可動歯車が従動回転するので、装飾体の意匠面の表示面積がすばやく変化して、演出効果を高めることができる。
【００１７】
また、回転ベースが回転規制部に回転が許容された所定回転方向へ回転すると、可動歯車が従動回転して可動体が収納位置から作動位置へ移動し、当該可動体が作動位置を維持したまま更なる回転にともなって回転ベースが従動回転し、可動体が作動位置にある状態において、所定方向と逆方向に回転すると、回転ベースは回転規制部によって逆方向への回転が規制され、伝達歯車が回転ベースに対して相対的に回転する範囲で逆方向へ回転して可動歯車が従動回転し可動体が作動位置から収納位置へ移動して停止する。
よって、駆動源の正逆回転駆動だけで、可動体の変位及び回転ベースの回転動作並びに回転規制も実現できるので、駆動伝達機構が簡略になり回転動作制御も簡易に行なえる。
【００１８】
また、上述した遊技機用可動演出装置を備えた遊技機においては、装飾体の意匠面の表示面積はかわらずに、可動体が変位すると意匠面の表示面積を拡大表示しさらに回転ベースと一体となって可動体が回転するという意外性のある演出が行われるので、限られた遊技領域で遊技者の興趣が尽きない多彩な演出を行なうことができる。
【図面の簡単な説明】
【００１９】
【図１】遊技機の正面図である。
【図２】実施例１に係る可動演出装置の正面図及び上視図である。
【図３】図２の可動演出装置の矢印Ａ−Ａ断面図及び矢印Ｂ−Ｂ断面図である。
【図４】可動演出装置の可動体が作動状態の正面図及び上斜視図である。
【図５】図４の可動演出装置の矢印Ｃ−Ｃ断面図及び矢印Ｄ−Ｄ断面図である。
【図６】回転ベースの後方側から見た分解斜視図である。
【図７】可動演出装置の後方側から見た分解斜視図である。
【図８】可動体が収納状態と作動状態の回転ベースの後面図である。
【図９】可動体の収納位置と作動位置との間の変位状態を示す後面図である。
【図１０】実施例２に係る可動演出装置の斜視図及び正面図である。
【図１１】図１０の可動演出装置の矢印Ｅ−Ｅ断面図である。
【図１２】図１０の可動演出装置の可動体が作動状態の斜視図及び正面面である。
【図１３】可動体が収納状態の回転ベースの後面図である。
【図１４】可動体が作動状態の回転ベースの後面図である。
【発明を実施するための最良の形態】
【００２０】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。パチンコ機１は、外枠２と遊技盤３が設けられた内枠（図示せず）と、該内枠を覆う前面枠４を備えている。図示しない内枠は、ヒンジ４ａ，４ｂにより外枠２に対して開閉可能に取り付けられている。また前面枠５は内枠に対して開閉可能に取り付けられている（ヒンジ部図示せず）。前面枠５の中央部には遊技者が遊技盤３を視認できる窓部（ガラス枠）６が設けられている。該窓部６の周囲にはスピーカー７や装飾部（図示せず）などが設けられる。
【００２１】
また、窓部６の下方には、貸球や賞球を貯留し図示しない球発射装置へ球を誘導する球受け皿８が設けられている。また、球受け皿８の右側には図示しない球発射装置が遊技球を遊技領域に向けて打ち出すための発射ハンドル９が設けられている。
【００２２】
遊技盤３の盤面上に形成される遊技領域内には、中央部に図柄表示装置（液晶表示装置）１０を備えたセンター役物１１が設けられ、その周囲には図示しない釘、スルーチャッカー１２、風車１３、電動チューリップ１４、アタッカー１５、遊技盤レール１６、サイドランプ１７などの盤面部品やアウト球（電動チューリップ１４，アタッカー１５に入賞しなかった遊技球）を回収するアウト口（図示せず）などが設けられている。センター役物１１には、遊技状態に応じて可動体が移動する可動演出装置１８が設けられている。
【実施例１】
【００２３】
可動演出装置１８の概略構成について図２乃至図９を参照して説明する。
可動演出装置１８は、遊技領域の所定箇所に組み付けられる機構ベース（固定部材，可動部材等）に組み付けられる。図２（ａ）（ｂ）に示すように、可動体演出装置１８には、遊技機前面より視認される装飾体２１と、機構ベースに組み付けられ装飾体２１より後方に配置される後方取付部材２３とが重ね合わせて一体に組み付けられている。また、モータ１９（駆動源）から駆動伝達されて回転する回転ベース２０（回転体）が、後方取付部材２３と装飾体２１とが連結される円筒軸２１ｎ（連結部；図５（ｂ）参照）を中心に回転可能に設けられている。また、装飾体２１の後面には、回転ベース２０を所定回転方向のみへ回転することを許容するワンウェイクラッチ２９（回転規制部）が設けられている。
また、可動体２２は、モータ１９の回転方向に応じて装飾体２１の後方に収納された収納位置と当該装飾体２１の外周より外側へ移動して装飾体２１の意匠面を拡大表示する作動位置との間を移動可能に回転ベース２０に組み付けられている。以下では、これらの各部の構造について詳述する。
【００２４】
図７において、装飾体２１は、意匠台座２１ａの前方に発光基板２１ｂ、拡散レンズ２１ｃ、装飾レンズ２１ｄが各々位置合わせして重ね合わせられ、ケース枠体２１ｅに形成されたボス２１ｆを、意匠台座２１ａのねじ孔２１ｇに位置合わせして後面よりねじ２１ｈによりねじ止めされてなる。図３（ａ）（ｂ）に示すように、発光基板２１ｂの前面側には、ＬＥＤ２１ｉが基板実装されており、発光基板２１ｂの後面側には端子台２１ｊが設けられており、給電用の接続配線２１ｋがコネクタ２１ｍにて接続されている。
【００２５】
また、図３（ａ）（ｂ）において、意匠台座２１ａの後面中央部には、筒状の円筒軸２１ｎが突設されている。この円筒軸２１ｎの後端面にはねじ孔２１ｐが形成されており、該ねじ孔２１ｐは後方取付部材２３のねじ孔２３ｂと位置合わせして組み付けられる。後方取付部材２３の後面からねじ２３ａをねじ孔２３ｂ，２１ｐに嵌め込むことにより、装飾体２１が後方取付部材２３に一体に組み付けられる（図３（ａ），図５（ａ），図７参照）。円筒軸２１ｎの中空部２１ｑは接続配線２１ｋの引き回し空間として利用される。
【００２６】
図７において、後方取付部材２３の後面には、モータ１９がねじ１９ａにより一体に組み付けられる。モータ軸１９ｂに設けられたモータ歯車１９ｃは、後方取付部材２３の切欠き部より前面側に進入して配置される。後方取付部材２３の前面側には円筒軸２１ｎを中心としてリング状の伝達歯車（二段歯車）２４が収納配置される。モータ歯車１９ｃは、伝達歯車２４の後面側に設けられた小径歯部２４ａと噛み合う（図８（ａ）（ｂ）参照）。また、後方取付部材２３の後面には、センサ基板２５がねじ２５ａにより組み付けられ、後方カバー２６がねじ２６ａにより組み付けられる（図７参照）。後方取付部材２３と後方カバー２６との間に形成された空間部２７も接続配線２１ｋの引き回し空間として利用される（図３（ｂ），図５（ｂ）参照）。
【００２７】
伝達歯車２４の後面側には、小径歯部２４ａより内周側にスリット２４ｂ（図３（ｂ），図５（ｂ）参照）が形成されたリング状の遮光板２４ｃが形成されている、遮光板２４ｃはセンサ基板２５に設けられるフォトセンサ２５ｂによりスリット２４ｂが検出されて、原点位置（後述する可動フィン２２が閉じた位置）が検出されるようになっている（図７参照）。
図８（ａ）（ｂ）において、伝達歯車２４の大径部外周には大径歯部２４ｄが形成されている。また、伝達歯車２４の内周側、具体的には遮光板２４ｃより内周側には、円弧状にガイド溝２４ｅが複数箇所（本実施形態では周方向に等間隔で４箇所）に形成されている。
【００２８】
図７において、回転ベース２０は、円筒軸２１ｎを中心として伝達歯車２４と相対的に回転可能に同心状に重ね合わせて組み付けられる。
具体的には、図６において回転ベース２０はリング状に形成されており、後面側中央部には、複数箇所（本実施形態では４箇所）にボス２０ａが突設されている。これらのボス２０ａは、伝達歯車２４のガイド溝２４ｅに各々挿入されて組み付けられる（図８（ａ）（ｂ）参照）。図８（ａ）（ｂ）において、回転ベース２０の後面外周側には可動歯車２８が回転可能に軸支されている。可動歯車２８の歯部２８ａは伝達歯車２４の大径歯部２４ｄと噛み合っている。上述した回転ベース２０と伝達歯車２４とを重ね合わせ、相対的に回転可能に組み付けられて回転体が形成されている。
【００２９】
図６において、回転ベース２０の外周側にはボス孔２０ｂとその周囲に円弧状のガイド孔２０ｃが設けられている。また、可動歯車２８に設けられる取付板２８ｂの後面に形成された歯部２８ａの中心部とその周囲に外側に向けて突出形成された突出部２８ｇにはボス孔２８ｃ，２８ｄが各々形成されている。
また、可動フィン２２は、大径フィン２２ａ，中径フィン２２ｂ，小径フィン２２ｃが正面視して時計回り方向この順に４箇所ずつ合計１２箇所に設けられている。これらの可動フィン２２の各基端部には、回転ベース２０の前面に添って取り付けられる取付板２２ｄが各々設けられている。各取付板２２ｄの後面側中心部とその周囲にはボス２２ｅ，２２ｆが各々突設されている。各ボス２２ｅ，２２ｆには、ねじ孔２２ｇ，２２ｈが各々形成されている。
【００３０】
図６において、可動フィン２２（大径フィン２２ａ，中径フィン２２ｂ，小径フィン２２ｃ）は、ボス２２ｅ，２２ｆをボス孔２０ｂ，ガイド孔２０ｃに各々挿通させて取付板２２ｄを回転ベース２０の前面に添って取り付けられる。また、ボス孔２０ｂ，ガイド孔２０ｃを挿通したボス２２ｅ，２２ｆに可動歯車２８のボス孔２８ｃ，２８ｄを各々嵌め込ませるようにして取付板２８ｂを回転ベース２０の後面に沿わせて可動歯車２８が各々取り付けられる（図５（ａ）（ｂ）参照）。そして、ボス孔２８ｃ，２８ｄに連通するねじ孔２２ｇ，２２ｈにねじ２８ｆを各々嵌め込むことにより（図５（ａ）拡大図参照）、可動フィン２２（大径フィン２２ａ，中径フィン２２ｂ，小径フィン２２ｃ）が、ボス２２ｅを中心としてボス２２ｆがガイド孔２０ｃの孔端部と係止する範囲で可動歯車２８が回転可能に組み付けられる（図８（ａ）（ｂ）参照）。
【００３１】
また、回転ベース２０は回転規制部によって正逆いずれかの回転方向のみ回転可能に回転規制されている。具体的には、図２（ａ）において、回転ベース２０の前面中心部には、外周面に歯面が形成された筒状の規制歯部２０ｄが突設されている。図３（ａ）に示すように、規制歯部２０ｄは、装飾体２１の意匠台座２１ａの後面側に突設された円筒軸２１ｎの外周と嵌め合うように組み付けられる。また、意匠台座２１ａの後面には、軸孔２１ｒが設けられている。この軸孔２１ｒには軸ピン２９ａが嵌め込まれ、該軸ピン２９ａを中心にワンウェイクラッチ（回転規制部）２９が規制歯部２０ｄと噛み合って所定方向にのみ回転可能に設けられている（図７参照）。尚、拡散レンズ２１ｃの後面は、軸孔２１ｒに嵌め込まれる軸ピン２９ａの受け部としても機能している（図３（ｂ），図５（ｂ）参照）。尚、規制歯部２０ｄが回転ベース２０の後面中心部に設けられている場合には、ワンウェイクラッチ２９は後方取付部材２３の前面側に軸支されていてもよい。
【００３２】
図８（ａ）に示すように可動フィン２２が閉じた状態から、モータ歯車１９ｃが反時計回り方向へ回転すると、伝達歯車２４が時計回り方向に回転する。このとき、伝達歯車２４は、ガイド溝２４ｅの溝端２４ｅ２が回転ベース２０のボス２０ａに突き当たるまで単独で回転する。その後回転ベース２０のボス２０ａとガイド溝２４ｅの溝端２４ｅ２が係止したまま、ワンウェイクラッチ２９に許容される時計回り方向（正面視で反時計回り方向）のみへ当該伝達歯車２４が回転ベース２０を連れ回る形態で共に回転する（図４（ａ）（ｂ）参照）。
【００３３】
また、図８（ｂ）において、モータ歯車１９ｃが時計回り方向へ回転すると、伝達歯車２４が反時計回り方向に回転する。このとき、伝達歯車２４は、ボス２０ａがガイド溝２４ｅの溝端２４ｅ２から図８（ａ）に示す溝端２４ｅ１に突き当たるまで回転するが、回転ベース２０がワンウェイクラッチ２９により回転規制される反時計回り方向（正面視で時計回り方向）への回転となるためその位置で回転停止する。
【００３４】
ここで、可動演出装置の組付け構成の一例について図７を参照して説明する。図７において、装飾体２１を一体に組み立てる。意匠台座２１ａの前方に発光基板２１ｂ、拡散レンズ２１ｃ、装飾レンズ２１ｄが位置合わせして各々重ね合わせられ、ケース枠体２１ｅに形成されたボス２１ｆを、意匠台座２１ａのねじ孔２１ｇに位置合わせして後面よりねじ２１ｈによりねじ止めする。また、意匠台座２１ａの後面には、軸ピン２９ａによりワンウェイクラッチ２９を組み付ける。
また、回転ベース２０の前面側に可動フィン２２（大径フィン２２ａ，中径フィン２２ｂ，小径フィン２２ｃ）を組み付け、後面側に可動歯車２８を組み付けて、ねじ２８ｆにより両者をねじ止めして一体に組み付ける。
また、後方取付部材２３の後面には、モータ１９、センサ基板２５、後方カバー２６を各々ねじ止めによって一体に組み付ける。
【００３５】
そして、後方取付部材２３の前面側に伝達歯車２４を小径歯部２４ａとモータ歯車１９ｃが噛み合うように重ね合わせる。また、回転ベース２０をボス２０ａがガイド溝２４ｅに挿入し大径歯部２４ｄが可動歯車２８と噛み合うように伝達歯車２４に重ね合わせる（図３（ｂ），図５（ｂ）参照）。次に、装飾体２１の意匠台座２１ａの後面に突設された円筒軸２１ｎを、回転ベース２０の前面に設けられた規制歯部２０ｄの筒孔に嵌め込み、伝達歯車２４の中心孔を通過して後方取付部材２３の前面にねじ孔２１ｐをねじ孔２３ｂに位置合わせして突き当てる。このときワンウェイクラッチ２９と規制歯部２０ｄが噛み合うように組み付けられている。最後に後方取付部材２３のねじ孔２３ｂに後面からねじ２３ａを通じてねじ孔２１ｐに嵌め込んで一体に組み付けられる。このとき、図２（ａ）に示すように可動フィン２２（大径フィン２２ａ，中径フィン２２ｂ、小径フィン２２ｃ）は、装飾体２１の後面側に隠れた状態で組み付けられる。
【００３６】
次に上述のように構成された可動演出装置の演出動作の一例について図１乃至図４及び図９を参照して説明する。尚、可動フィン２２が複数組あるため、図９（ａ）〜（ｃ）に示す特定の可動フィン２２（大径フィン２２ａ，中径フィン２２ｂ、小径フィン２２ｃ）の動作を中心に説明するものとする。
以下、具体的に説明する。
【００３７】
図２（ａ）（ｂ）において、モータ１９が起動する前は、装飾体２１を正面視すると、可動フィン２２（大径フィン２２ａ，中径フィン２２ｂ、小径フィン２２ｃ）は、装飾ケース２１ｄ及びケース枠体２１ｅの背後に隠れた状態にある。
このとき、図９（ａ）に示すように、回転ベース２０のボス２０ａは伝達歯車２４のガイド溝２４ｅの溝端２４ｅ１と係止した状態にある。また、フォトセンサ２５ｂは遮光板２４ｃのスリット２４ｂを検出した状態にある（図３（ａ）（ｂ）参照）。
【００３８】
図１において例えば遊技状態で図柄表示装置１０の画面でリーチが発生したり、大当たりが発生したりした場合などに、図示しない制御部がモータ１９を起動させる。図９（ｂ）において、モータ歯車１９ｃが反時計回り方向（正面視で時計回り方向）へ回転すると、小径歯部２４ａと噛み合う伝達歯車２４は時計回り方向（正面視で反時計回り方向）へ回転する。また、伝達歯車２４が時計回り方向（正面視で反時計回り方向）へ回転すると大径歯部２４ｄと噛み合う可動歯車２８が反時計回り方向（正面視で時計回り方向）へ所定量回転する。このとき、図４（ａ）（ｂ）に示すように、可動フィン２２（大径フィン２２ａ，中径フィン２２ｂ，小径フィン２２ｃ）が、ボス２２ｅを中心としてボス２２ｆがガイド孔２０ｃの孔端部と係止するまで（図８（ａ）（ｂ）参照）回転するため、可動フィン２２は収納位置から作動位置へ移動して停止する。伝達歯車２４は、ガイド溝２４ｅの溝端２４ｅ２がボス部２０ａと係止するまでモータ歯車１９ｃの回転に従動回転する。
【００３９】
図９（ｃ）において、モータ歯車１９ｃが更に反時計回り方向（正面視で時計回り方向）へ回転し続けると、小径歯部２４ａと噛み合う伝達歯車２４は時計回り方向（正面視で反時計回り方向）へ回転する。伝達歯車２４は、ガイド溝２４ｅの溝端２４ｅ２がボス部２０ａと係止したまま、回転ベース２０は時計回り方向（正面視で反時計回り方向）へ連れ回りする。
【００４０】
このとき、図４（ａ）（ｂ）において、回転ベース２０の前面側の規制歯部２０ｄと噛み合うワンウェイクラッチ２９は回転を許容する方向（正面視で時計回り方向）へ回転するので、回転ベース２０は、伝達歯車２４と一体となって連れ回りする。このように、装飾体２１の意匠面の表示面積はかわらずに、可動フィン２２が作動位置へ移動すると意匠面の表示面積を拡大表示し、さらに回転ベース２０と一体となって可動フィン２２が回転するという意外性のある演出が行われるので、限られた遊技領域内に設置して遊技者の興趣が尽きない多彩な演出を行なうことができる。また、大きさの異なる可動フィン２２（大径フィン２２ａ，中径フィン２２ｂ，小径フィン２２ｃ）を使用することで、収納位置において装飾体２１の後面側にコンパクトに収納することができ、作動位置へ移動し更に回転することにより視覚的な演出効果が高くなる。
【００４１】
図１の図柄表示装置１０の画面でリーチが終了したり、大当たりが終了したりした場合などに、モータ１９の回転を停止する。
このとき、図９（ｃ）に示すように、伝達歯車２４は、ガイド溝２４ｅの溝端２４ｅ２がボス部２０ａと係止した状態にある。また、可動フィン２２は装飾体２１より外側の作動位置で停止している。
【００４２】
モータ１９を逆転駆動すると、図９（ｂ）に示すように、モータ歯車１９ｃは時計回り方向（正面視で反時計回り方向）へ逆回転し、小径歯部２４ａと噛み合う伝達歯車２４が反時計回り方向（正面視で時計回り方向）へ回転する。すると大径歯部２４ｄと噛み合う可動歯車２８が時計回り方向（正面視で反時計回り方向）へ回転するので、可動フィン２２は作動位置から収納位置へ向けて回転する。伝達歯車２４は、図９（ａ）に示すガイド溝２４ｅの溝端２４ｅ１にボス部２０ａと係止するまでモータ歯車１９ｃの回転に従動回転する。このとき、可動フィン２２は、図２（ａ）（ｂ）に示す装飾体２１の後方の収納位置へ収納される。また、回転ベース２０はワンウェイクラッチ２９により時計回り方向（正面視で反時計回り方向）への回転を規制されているので、伝達歯車２４が単独で回転している間に確実に可動フィン２２を収納位置へ収納することができる。言い換えれば、伝達歯車２４と回転ベース２０の相対的な回転移動が確実に行えることで、可動フィン２２の収納位置への収納をスムーズに行うことができる。
【００４３】
図９（ａ）に示すガイド溝２４ｅの溝端２４ｅ１にボス部２０ａが係止するまで伝達歯車２４が回転すると、回転ベース２０を反時計回り方向（正面視で時計回り方向）へ連れ回りさせようとするが、図２（ａ）に示す回転ベース２０の規制歯部２０ｄがワンウェイクラッチ２９の回転を規制する方向（正面視で反時計回り方向）へ回転させようとするので、回転ベース２０は停止したままとなる。また、フォトセンサ２５ｂは遮光板２４ｃのスリット２４ｂを検出した状態に戻る（図３（ａ）（ｂ）参照）。
【００４４】
上記実施形態は、可動演出装置１８が図１に示すパチンコ機１のセンター役物１１の固定された機構ベースに組み付けられたまま作動する場合について説明したが、これに限定されるものではなく、可動の機構ベースに組み付けられていても良い。例えば、遊技状態に応じて、図１の仮想線に示す可動アーム３０がラック‐ピニオンの噛み合いにより図柄表示装置（液晶表示装置）１０の上方から図柄表示装置（液晶表示装置）１０の前方空間へ変位するようになっており、この可動アーム３６の先端に可動演出装置１８の後方取付部材２３が一体に組み付けられていても良い。
【実施例２】
【００４５】
次に、可動演出装置１８の他例について図１０乃至図１４を参照して説明する。
前述した実施例１では、伝達歯車２４として所謂軸方向に歯車位置が異なる二段歯車を用いたが、本実施例では二段歯車に替えて内外周面に歯面が形成されたリング状の伝達歯車３１を用いている点が異なっている。装飾体の構成や後方取付部材の構成は実施例１と同様であるので説明を省略するものとし、回転ベースと伝達歯車を含む駆動伝達構造を中心に説明する。
【００４６】
図１０及び図１１を参照して可動演出装置１８概略構成について説明する。
遊技機前面より視認される装飾体（図示せず）と、該装飾体より後方に配置される後方取付部材（図示せず）とが重ね合わせて一体に組み付けられ、当該後方取付部材と装飾体とが連結される連結部を中心に回転体が回転可能に組み付けられている。回転体は、モータ（駆動源）１９より正逆回転駆動されるリング状の伝達歯車３１と、該伝達歯車３１の後面側に相対的に回転可能に重ね合わせて組み付けられたリング状の回転ベース３２を備えている。回転ベース３２は、後述するようにワンウェイクラッチ２９（回転規制部）により回転規制されている。
また、回転ベース３２には、モータ１９の回転方向に応じて変位する可動フィン（可動体）３３が、図示しない装飾体の後方に収納された収納位置と当該装飾体の外周より外側へ移動して意匠面を拡大表示する作動位置との間を移動可能に組み付けられている。
【００４７】
図１０（ａ）（ｂ）及び図１１に示すように、モータ１９のモータ軸１９ｂに設けられたモータ歯車１９ｃは、伝達歯車３１の内歯車３１ａと噛み合っている。また、回転ベース３２の外周側に可動軸３３ａを中心に回転可能に軸支された可動フィン３３の軸回りに形成された可動歯車３３ｂが伝達歯車３１の外歯車３１ｂと噛み合っている。また、後方取付ケース（図示せず）の前面側には、ワンウェイクラッチ２９（回転規制部）が軸ピン２９ａを回転中心に設けられている（図７参照）。ワンウェイクラッチ２９は、回転ベース３２の内歯車３２ｂと噛み合っている。ワンウェイクラッチ２９は、例えば回転ベース３２の正面視で時計回り方向への回転は許容するが、逆方向（反時計回り方向）への回転を規制する。尚、ワンウェイクラッチ２９は、意匠台座２１ａの後面に設けられていてもよい。
【００４８】
また、図１３に示すように、伝達歯車３１の後面側にはボス３１ｃが周方向に等間隔で４箇所に突設されている。また、回転ベース３２には、周方向に等間隔で４箇所に長孔３２ａが設けられている。伝達歯車３１は、回転ベース３２にボス３１ｃが長孔３２ａに各々挿入されて相対的に回転可能に組み付けられている（図１１参照）。
【００４９】
次に上述のように構成された可動演出装置１８の演出動作の一例について図１、図１０、図１２乃至図１４を参照して説明する。
図１０（ａ）（ｂ）において、モータ１９が起動する前は、正面視すると、可動フィン３３は、図示しない装飾体の背後に隠れた状態にある。
このとき、図１３に示すように、伝達歯車３１のボス３１ｃは回転ベース３２の長孔３２ａの一端３２ａ１と係止した状態にある。
【００５０】
図１において例えば遊技状態で図柄表示装置１０の画面でリーチが発生したり、大当たりが発生したりした場合などに、図示しない制御部がモータ１９を起動させる。図１０（ｂ）において、モータ歯車１９ｃが正面視で時計回り方向へ回転すると、内歯車３１ａと噛み合う伝達歯車３１は正面視で時計回り方向へ回転する。このとき、外歯車３１ｂと噛み合う可動歯車３３ｂが可動軸３３ａを中心に正面視で反時計回り方向へ回転する。
【００５１】
これにより、図１２（ｂ）に示すように、可動フィン３３は収納位置から装飾体（図示せず）の外周より外側の作動位置へ移動する。伝達歯車３１は、図１４に示すようにボス３１ｃが回転ベース３２の長孔３２ａの一端３２ａ１から他端３２ａ２に突き当たるまでモータ歯車１９ｃの回転に伴って単独で従動回転する。
【００５２】
図１２（ｂ）において、モータ歯車１９ｃが更に正面視で時計回り方向へ回転し続けると、内歯車３２ａと噛み合うワンウェイクラッチ２９は正面視で時計回り方向へ回転しようとするので、回転ベース３２の回転が許容される。伝達歯車３１は、図１４に示すようにボス３１ｃが長孔３２ａの他端３２ａ２と係止したまま回転ベース３２と一体となって反時計回り方向（正面視で時計回り方向）へ連れ回りする。このとき、可動フィン３３は作動位置を保ったまま伝達歯車３１と同一面上で回転するため、意匠面の表示面積を拡大表示しさらに回転ベース３２と一体となって可動フィン３３が回転するという意外性のある演出を行うことができる。また、可動演出装置１８の軸方向の厚さを薄くすることができる。よって、遊技領域に設置される可動演出装置１８の奥行き方向の設置スペースを減らすことができる。
【００５３】
図１の図柄表示装置１０の画面でリーチが終了したり、大当たりが終了したりした場合などに、モータ１９の回転を停止する。このとき、図１４に示すように、伝達歯車３１はボス部３１ｃが長孔３２ａの他端３２ａ２と係止した状態にある。また、可動フィン２２は装飾体２１より外側の作動位置で停止している。
【００５４】
図１２（ｂ）において、モータ１９を逆転駆動すると、モータ歯車１９ｃは正面視で反時計回り方向へ回転し、内歯車３１ａと噛み合う伝達歯車３１が正面視で反時計回り方向へ回転するので、外歯車３１ｂと噛み合う可動歯車３３ｂは可動軸３３ａを中心に正面視で時計回り方向へ回転する。これにより、可動フィン３３は図１２（ｂ）に示す作動位置から図１０（ｂ）に示す収納位置へ向けて回転する。伝達歯車３１は、図１３に示す時計回り方向（正面視で反時計回り方向）へ回転し、ボス３１ｃが長孔３２ａの一端３２ａ１と係止するまでモータ歯車１９ｃの回転に伴って単独で従動回転する。このとき、可動フィン２２は、図１０（ａ）（ｂ）に示すように図示しない装飾体の後方の収納位置へ収納される。また、回転ベース３２はワンウェイクラッチ２９により時計回り方向（正面視で反時計回り方向）への回転を規制されているので、伝達歯車３１が単独で回転している間に確実に可動フィン２２を収納位置へ収納することができる。言い換えれば、伝達歯車３１と回転ベース３２の相対的な回転移動が確実に行えることで、可動フィン２２の収納位置への収納をスムーズに行うことができる。
【００５５】
図１３に示すようにボス３１ｃが長孔３２ａの一端３２ａ１に係止するまで伝達歯車３１が回転すると、回転ベース３２を反時計回り方向（正面視で時計回り方向）へ連れ回りさせようとするが、内歯車３２ａがワンウェイクラッチ２９の回転を規制する時計回り方向（正面視で反時計回り方向）へ回転させようとするので、回転が停止したままとなる。
【００５６】
上記実施例に構成によれば、伝達歯車として、二段歯車より軸方向に厚さが薄い内外歯車を備えたことにより、駆動源から回転ベースや可動体に対する駆動伝達機構をさらに軸方向に薄型化することができ、遊技領域の奥行きスペースを取らずに組み付けることができる。
【００５７】
上述した各実施例は、遊技機の一例としてパチンコ遊技機について説明したが、他に例えばアレンジボール遊技機、パチスロ遊技機、雀球遊技機等の他の遊技機に設けられる可動演出装置に適用することも可能である。
【符号の説明】
【００５８】
１  パチンコ機
２  外枠  
３  遊技盤  
４ａ，４ｂ  ヒンジ  
５  前面枠  
６  窓部  
７  スピーカー  
８  球受け皿  
９  発射ハンドル  
１０  図柄表示装置（液晶表示装置）  
１１  センター役物  
１２  スルーチャッカー  
１３  風車  
１４  電動チューリップ  
１５  アタッカー  
１６  遊技盤レール  
１７  サイドランプ  
１８  可動演出装置  
１９  モータ  
２０，３２  回転ベース  
２０ａ，２１ｆ，２２ｅ，２２ｆ  ボス  
２０ｂ，２８ｃ，２８ｄ  ボス孔  
２０ｃ  ガイド孔  
２０ｄ  規制歯部  
２１  装飾体  
２１ａ  意匠台座  
２１ｂ  発光基板  
２１ｃ  拡散レンズ  
２１ｄ  装飾レンズ  
２１ｅ  ケース枠体  
２１ｇ，２２ｇ，２２ｈ  ねじ孔  
２１ｈ，２１ｐ，２３ａ，２５ａ，２６ａ，２８ｆ，３２ａ  ねじ  
２１ｉ  ＬＥＤ  
２１ｊ  端子台  
２１ｋ  接続配線  
２１ｍ  コネクタ  
２１ｎ  円筒軸  
２１ｑ  中空部  
２１ｒ  軸孔
２２,３３  可動フィン  
２２ａ  大径フィン  
２２ｂ  中径フィン  
２２ｃ  小径フィン  
２２ｄ  取付板  
２３  後方取付部材  
２４，３１  伝達歯車  
２４ａ  小径歯部  
２４ｂ  スリット  
２４ｃ  遮光板  
２４ｄ  大径歯部  
２４ｅ  ガイド溝  
２５  センサ基板  
２５ｂ  フォトセンサ  
２６  後方カバー  
２７  空間部  
２８  可動歯車  
２８ａ  歯部  
２８ｂ  取付板  
２８ｇ  突出部  
２９  ワンウェイクラッチ  
２９ａ  軸ピン  
３１ａ，３２ｂ  内歯車  
３１ｂ  外歯車  
３２ａ  長孔  
３３ａ  可動軸  
３３ｂ  可動歯車
【図１】
0005486228.tif 000002
【図２】
0005486228.tif 000003
【図３】
0005486228.tif 000004
【図４】
0005486228.tif 000005
【図５】
0005486228.tif 000006
【図６】
0005486228.tif 000007
【図７】
0005486228.tif 000008
【図８】
0005486228.tif 000009
【図９】
0005486228.tif 000010
【図１０】
0005486228.tif 000011
【図１１】
0005486228.tif 000012
【図１２】
0005486228.tif 000013
【図１３】
0005486228.tif 000014
【図１４】
0005486228.tif 000015